(57)【要約】【課題】解体を容易とする手段を有しているにも関わらず、見栄えに悪影響を与えず、紙取りに起因する紙の無駄を生じることがなく、ブランク打抜き時にゴミを生じることもない組立箱を提供する。【解決手段】二重壁が形成されてなる組立箱であって、前後内面板３の折曲片４が下側で左右内面板６の折曲片７が上側となった状態で双方の折曲片４，７同士が両端で互いに係止することにより組み立てられており、前後内面板３の折曲片４には、前後内面板３との境界線上の中程にある１つの起点ｘから端縁に向かって広がる方向に形成された２本の折線ａにより三角形状の摘み部分４ａが区画されている。前後の二重壁における摘み部分４ａの上部付近を指先で把持すると、摘み部分４ａが底板１から僅かに浮き上がるので、その浮き上がった摘み部分４ａに指先を引っ掛けて引き上げることにより、折曲片４，７の係止状態を外して簡単に解体できる。【選択図】図１
2008247427.tif 000002
【特許請求の範囲】
【請求項１】
矩形状をした底板の前後両端にそれぞれ前後外面板、前後内面板及び折曲片を順に連設するとともに、左右両端にそれぞれ左右外面板、左右内面板及び折曲片を順に連設したブランクを組み立てて四方に二重壁が形成されてなる組立箱であって、前後内面板の折曲片が下側で左右内面板の折曲片が上側となった状態で双方の折曲片同士が両端で互いに係止することにより組み立てられており、前後内面板の折曲片には、前後内面板との境界線上の中程にある１つの起点から端縁に向かって広がる方向に形成された２本の折線により三角形状の摘み部分が区画されていることを特徴とする組立箱。
【請求項２】
矩形状をした底板の前後両端にそれぞれ前後外面板、前後内面板及び折曲片を順に連設するとともに、左右両端にそれぞれ左右外面板、左右内面板及び折曲片を順に連設したブランクを組み立てて四方に二重壁が形成されてなる組立箱であって、前後内面板の折曲片が下側で左右内面板の折曲片が上側となった状態で双方の折曲片同士が両端で互いに係止することにより組み立てられており、前後内面板の折曲片には、前後内面板との境界線上の中程にある離間した２つの起点からそれぞれ端縁に向かって広がる方向に形成された２本の折線により台形状の摘み部分が区画されていることを特徴とする組立箱。
【発明の詳細な説明】
【技術分野】
【０００１】
本発明は、中元や歳暮などの贈答用紙箱として使用される組立箱に係り、詳しくは、使用後の解体を容易に行える組立箱に関するものである。
【背景技術】
【０００２】
従来より、この種の組立箱は、使用した後に廃棄することが多いため、その解体を出来るだけ簡単に行えるようにしたタイプのものが提案されている。その代表的なものは、二重壁における内面板をそれに設けた突起や孔を利用して引き上げることで、内面板の係止部分を外して箱を解体するように構成されている。
【０００３】
【特許文献１】実開平６−１０１１２号公報
【特許文献２】実用新案登録第３０６０６９３号公報
【発明の開示】
【発明が解決しようとする課題】
【０００４】
従来の技術で挙げた組立箱は、使用後の解体が容易であるという利点はある。しかしながら、内面板にこれを引き上げるための突起や孔を設けているために見栄えが悪いという問題点がある。また、内面板に突起を設けたタイプの紙箱は、その突起を設けるがためにブランクの紙取りが悪く、紙の無駄が生じるという問題点があり、孔を設けたタイプの紙箱は、ブランク打抜き時にその孔を同時に形成するため、ゴミを生じるという問題点がある。
【０００５】
本発明は、このような問題点に鑑みてなされたものであり、その目的とするところは、解体を容易とする手段を有しているにも関わらず、見栄えに悪影響を与えず、紙取りに起因する紙の無駄を生じることがなく、ブランク打抜き時にゴミを生じることもない組立箱を提供することにある。
【課題を解決するための手段】
【０００６】
上記の目的を達成するため、本発明に係る第１のタイプの組立箱は、矩形状をした底板の前後両端にそれぞれ前後外面板、前後内面板及び折曲片を順に連設するとともに、左右両端にそれぞれ左右外面板、左右内面板及び折曲片を順に連設したブランクを組み立てて四方に二重壁が形成されてなる組立箱であって、前後内面板の折曲片が下側で左右内面板の折曲片が上側となった状態で双方の折曲片同士が両端で互いに係止することにより組み立てられており、前後内面板の折曲片には、前後内面板との境界線上の中程にある１つの起点から端縁に向かって広がる方向に形成された２本の折線により三角形状の摘み部分が区画されていることを特徴とする。
【０００７】
また、同様の目的を達成するため、本発明に係る第２のタイプの組立箱は、矩形状をした底板の前後両端にそれぞれ前後外面板、前後内面板及び折曲片を順に連設するとともに、左右両端にそれぞれ左右外面板、左右内面板及び折曲片を順に連設したブランクを組み立てて四方に二重壁が形成されてなる組立箱であって、前後内面板の折曲片が下側で左右内面板の折曲片が上側となった状態で双方の折曲片同士が両端で互いに係止することにより組み立てられており、前後内面板の折曲片には、前後内面板との境界線上の中程にある離間した２つの起点からそれぞれ端縁に向かって広がる方向に形成された２本の折線により台形状の摘み部分が区画されていることを特徴とする。
【発明の効果】
【０００８】
本発明の組立箱によれば、いずれのタイプも、前後の二重壁における摘み部分の上部付近を指先で把持すると、摘み部分が底板から僅かに浮き上がるので、その浮き上がった摘み部分に指先を引っ掛けて引き上げることにより、折曲片の係止状態を外して簡単に解体することができる。そして、解体が簡単であるにも関わらず、内面板に引上げ用の突起や孔を設けないので見栄えに悪影響を与えることがなく、突起を設けた場合のようにブランクの紙取りが悪くなって紙の無駄が生じるということもなく、孔を設けた場合のようにブランク打抜き時にゴミを生じるということもない。
【発明を実施するための最良の形態】
【０００９】
次に、本発明の好適な実施形態について図面を参照しながら詳細に説明する。
【００１０】
図１は本発明に係る第１のタイプの組立箱の一実施例を示す斜視図、図２は図１の組立箱を形成するブランクの展開図である。
【００１１】
図１に示す組立箱Ａ1 は、図２に示す１枚のブランクＢ1 を組み立てて形成される。このブランクＢ1 は、紙器用の板紙を打ち抜いたもので、その形状は左右対称であって、図示のように、矩形状をした底板１を中心にして、その底板１の前後両端にそれぞれ前後外面板２、前後内面板３及び折曲片４を順に連設するとともに、左右両端にそれぞれ左右外面板５、左右内面板６及び折曲片７を順に連設している。また、前後側面板２と左右側面板５との外側にはそれぞれ対角折曲線で二つ折りし得る連絡板８が連設され、左右内面板６の両端にはそれぞれ折曲係止片９が連設されている。
【００１２】
そして、前後内面板３の折曲片４には、前後内面板３との境界線ｋ上の中程にある１つの起点ｘから端縁に向かって広がる方向に形成された２本の折線ａにより三角形状の摘み部分４ａが区画されている。また、前後内面板３にはその両側縁における前後外面板２に近いところからそれぞれ起点ｘに向かう斜め折曲線ｂが設けられている。ここで、境界線ｋと折線ａとのなす角度αは、後述する摘み分４ａの浮き上がりを考慮して適宜決めればよく、通常は３０〜４５度の範囲であり、好ましくは３０度程度である。また、図示の例では、摘み部分４ａの浮き上がりとともに指先での把持のし易さを考慮してこの摘み部分４ａの端縁側を僅かに円弧状としているが、真っ直ぐでも構わない。
【００１３】
上記のブランクＢ1 は、従来の組立箱と同様の手順で組み立てられる。すなわち、左右外面板５、左右内面板６及び折曲片７を順次折り曲げて左右に二重壁を形成してから、内側に折り曲げた折曲係止片９に重なるように連絡板８を内側に折り込みつつ、前後外面板２、前後内面板３及び折曲片４を順次折り曲げた後、左右内面板６の折曲片７の下側に前後内面板３の折曲片４をもぐり込ませるようにして双方の折曲片４，７の両端を噛み合わせる。これにより、図１に示す組立箱Ａ1 が形成される。
【００１４】
図１の組立箱Ａ1 を使用後に解体するに際しては、図３（ａ）に示す如く、前後の二重壁における摘み部分４ａの上部付近（図の点線で囲んだ辺り）を指先で把持する。この二重壁は、板紙を二つ折りして折曲げ片４，７同士を係止させてあるので折目にスプリングバック傾向があり、さらには二つ折りした板紙の間に連絡板８と折曲係止板９とを挟んでいるため、若干の隙間を有している。したがって、指先で把持すると二つ折りした板紙同士が接触するまで撓み、この撓みにより２本の折線ａが閉じる方向に僅かに移動し、これによって摘み部分４ａはその先端側が狭められて底板１から僅かに浮き上がるので、その浮き上がった摘み部分４ａに指先を引っ掛けて引き上げることができる。この時、図３（ｂ）に示すように、前後の二重壁が外側に広がるようにすれば、摘み部分４ａが浮き上がりがさらに大きくなって指先で摘みやすくなる。
【００１５】
このように、折曲片４の摘み部分４ａを引き上げると、前後内面板３における２本の斜め折曲線ｂによって囲まれた中央部分がその両側部分よりも上方に持ち上げられるので、これによって前後内面板３が徐々に湾曲させられ、折曲片４が左右内面板６の折曲げ片７から外れて組立箱Ａ1 を解体することができる。
【００１６】
図４は本発明に係る第２のタイプの組立箱の一実施例を示す斜視図、図５は図４の組立箱を形成するブランクの展開図である。なお、ここで説明する組立箱Ａ2 は前記の組立箱Ａ2 と全体構成は同じなので、同じ部位には同じ符号を付してある。
【００１７】
図４に示す組立箱Ａ2 は、図２に示す１枚のブランクＢ2 を組み立てて形成される。このブランクＢ2 は、紙器用の板紙を打ち抜いたもので、その形状は左右対称であって、図示のように、矩形状をした底板１を中心にして、その底板１の前後両端にそれぞれ前後外面板２、前後内面板３及び折曲片４を順に連設するとともに、左右両端にそれぞれ左右外面板５、左右内面板６及び折曲片７を順に連設している。また、前後側面板２と左右側面板５との外側にはそれぞれ対角折曲線で二つ折りし得る連絡板８が連設され、左右内面板６の両端にはそれぞれ折曲係止片９が連設されている。
【００１８】
そして、前後内面板３の折曲片４には、前後内面板３との境界線ｋ上の中程にある離間した２つの起点ｘ，ｘからそれぞれ端縁に向かって広がる方向に形成された２本の折線ａ，ａにより台形状の摘み部分４ａが区画されている。また、前後内面板３にはその両側縁における前後外面板２に近いところからそれぞれ起点ｘ，ｘに向かう斜め折曲線ｂ，ｂが設けられている。ここで、境界線ｋと折線ａとのなす角度αは、後述する摘み部分４ａの浮き上がりを考慮して適宜決めればよいが、４５度程度が好ましい。また、図示の例では、摘み分４ａの浮き上がりとともに指先での把持のし易さを考慮してこの摘み部分４ａの端縁側を僅かに円弧状としているが、真っ直ぐでも構わない。
【００１９】
上記のブランクＢ2 は、従来の組立箱と同様の手順で組み立てられる。すなわち、左右外面板５、左右内面板６及び折曲片７を順次折り曲げて左右に二重壁を形成してから、内側に折り曲げた折曲係止片９に重なるように連絡板８を内側に折り込みつつ、前後外面板２、前後内面板３及び折曲片４を順次折り曲げた後、左右内面板６の折曲片７の下側に前後内面板３の折曲片４をもぐり込ませるようにして双方の折曲片４，７の両端を噛み合わせる。これにより、図４に示す組立箱Ａ2 が形成される。
【００２０】
図４の組立箱Ａ2 を使用後に解体するに際しては、図６（ａ）に示す如く、前後の二重壁における摘み部分４ａの上部付近（図の点線で囲んだ辺り）を指先で把持する。この二重壁は、板紙を二つ折りして折曲げ片４，７同士を係止させてあるので折目にスプリングバック傾向があり、さらには二つ折りした板紙の間に連絡板８と折曲係止板９とを挟んでいるため、若干の隙間を有している。したがって、指先で把持すると二つ折りした板紙同士が接触するまで撓み、この撓みにより２本の折線ａが閉じる方向に僅かに移動し、これによって摘み部分４ａはその先端側が狭められて底板１から僅かに浮き上がるので、その浮き上がった摘み部分４ａに指先を引っ掛けて引き上げることができる。この時、図６（ｂ）に示すように、前後の二重壁が外側に広がるようにすれば、摘み部分４ａが浮き上がりがさらに大きくなって指先で摘みやすくなる。
【００２１】
このように、折曲片４の摘み部分４ａを引き上げると、前後内面板３における２本の斜め折曲線ｂによって囲まれた中央部分がその両側部分よりも上方に持ち上げられるので、これによって前後内面板３が徐々に湾曲させられ、折曲片４が左右内面板６の折曲げ片７から外れて組立箱Ａ2 を解体することができる。そして、摘み部分４ａを区画する２本の折線ａを破断可能としておけば、摘み部分４ａを引き上げる勢いで摘み部分４ａを折曲片４から切り離して前後内面板３の中央部分を持ち上げることができる。
【００２２】
以上、本発明の実施の形態について詳細に説明してきたが、本発明による組立箱は、上記実施の形態に何ら限定されるものではなく、本発明の趣旨を逸脱しない範囲において種々の変更が可能であることは言うまでもない。
【００２３】
例えば、上記で例に挙げた組立箱は、いずれも前後が短く左右が長い形状であるが、この長さは逆でもよいし、別に同じであっても構わない。
【図面の簡単な説明】
【００２４】
【図１】本発明に係る第１のタイプの組立箱の一実施例を示す斜視図である。
【図２】図１の組立箱を形成するブランクの展開図である。
【図３】図１の組立箱を解体する際の説明図である。
【図４】本発明に係る第２のタイプの組立箱の一実施例を示す斜視図である。
【図５】図４の組立箱を形成するブランクの展開図である。
【図６】図４の組立箱を解体する際の説明図である。
【符号の説明】
【００２５】
Ａ1 ，Ａ2   組立箱
Ｂ1 ，Ｂ2   ブランク
ａ  折線
ｂ  斜め折曲線
ｋ  境界線
ｘ  起点
１  底板
２  前後外面板
３  前後内面板
４  折曲げ片
４ａ  摘み部分
５  左右外面板
６  左右内面板
７  折曲げ片
８  連絡板
９  折曲係止片
【図１】
2008247427.tif 000003
【図２】
2008247427.tif 000004
【図３】
2008247427.tif 000005
【図４】
2008247427.tif 000006
【図５】
2008247427.tif 000007
【図６】
2008247427.tif 000008